【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
ガス圧力を検知する圧力センサと、該圧力センサがガス圧力の異常な低下を検知したときに作動してガスを遮断する遮断弁を有するガスメータにおいて、
複数の電極を有する冠水検出手段をガスメータの表面に配設し、該冠水検出手段の電極間の電気抵抗値の異常な低下を判定して冠水検知信号を出力する判定手段を設け、
該判定手段の出力に基づいて冠水を検知することを特徴とするガスメータ。
【請求項２】
ガスメータを所定の設置場所に取り付けた状態において、
圧力センサに大気圧を導く大気開放孔の位置と同等あるいは低い位置に冠水検出手段が位置するように、冠水検出手段を配設したことを特徴とする請求項１記載のガスメータ。
【請求項３】
冠水検出手段の電極の数が３個以上であって、
冠水検出手段の少なくとも１組の電極間の電気抵抗値の異常な低下を判定して冠水検知信号を出力する判定手段を設けたことを特徴とする請求項１又は２記載のガスメータ。
【請求項４】
冠水検出手段の電極の数が３個以上であって、
冠水検出手段の少なくとも２組以上の複数組の電極間の電気抵抗値が共に異常な低下を生じたときに判定手段が冠水検知信号を出力することを特徴とする請求項１又は２記載のガスメータ。
【請求項５】
ガス圧力を検知する圧力センサと、該圧力センサがガス圧力の異常な低下を検知したときに作動してガスを遮断する遮断弁を有するガスメータにおいて、
圧力センサに大気圧を導く導圧通路に、冠水検出手段として導圧通路の湿度を検出する湿度センサを配設し、
該湿度センサで検出した導圧通路の湿度が一定以上であることを判定して冠水検知信号を出力する判定手段を設け、
該判定手段の出力に基づいて冠水を検知することを特徴とするガスメータ。
【請求項６】
ガス圧力を検知する圧力センサと、該圧力センサがガス圧力の異常な低下を検知したときに作動してガスを遮断する遮断弁を有するガスメータにおいて、
ガスメータの表面に配設した、複数の電極を有する第１の冠水検出手段と、該冠水検出手段の電極間の電気抵抗値の異常な低下を判定して冠水検知信号を出力する第１の判定手段と、
圧力センサに大気圧を導く導圧通路に配設され、導圧通路の湿度を検出する第２の冠水検出手段としての湿度センサと、該湿度センサで検出した導圧通路の湿度が一定以上であることを判定して冠水検知信号を出力する第２の判定手段とを具備し、
第１の判定手段又は第２の判定手段の出力に基づいて冠水を検知することを特徴とするガスメータ。
【請求項７】
ガス圧力を検知する圧力センサと、該圧力センサがガス圧力の異常な低下を検知したときに作動してガスを遮断する遮断弁を有するガスメータにおいて、
ガスメータの表面に配設した、複数の電極を有する第１の冠水検出手段と、該冠水検出手段の電極間の電気抵抗値の異常な低下を判定して冠水検知信号を出力する第１の判定手段と、
圧力センサに大気圧を導く導圧通路に配設され、導圧通路の湿度を検出する第２の冠水検出手段としての湿度センサと、該湿度センサで検出した導圧通路の湿度が一定以上であることを判定して冠水検知信号を出力する第２の判定手段とを具備し、
第１の判定手段の出力と第２の判定手段の出力の論理積に基づいて冠水を検知することを特徴とするガスメータ。
【請求項８】
冠水を検知した場合には、外部への警報を行うようにしたことを特徴とする請求項１乃至７のいずれかに記載のガスメータ。
【請求項９】
冠水を検知した場合には、圧力センサがガス圧力の異常な低下を検知したときでも遮断弁を閉止しないことを特徴とする請求項１乃至７のいずれかに記載のガスメータ。
【請求項１０】
冠水を検知した場合には、
外部への警報を行うようにし、
かつ、圧力センサがガス圧力の異常な低下を検知したときでも遮断弁を閉止しないことを特徴とする請求項１乃至７のいずれかに記載のガスメータ。
【請求項１１】
電極を有する冠水検出手段としての冠水検出スイッチを、ガスメータ表面に配設する代わりに、ガスメータ表面からわずかにメータ内部側へ下げた位置に配設し、その前に吸湿性の部材を接触させて設けたことを特徴とする請求項１〜４又は６〜１０のいずれかに記載のガスメータ。
【請求項１２】
冠水を感知する冠水検出手段を有することを特徴とするガスメータ。
【請求項１３】
冠水検出手段が電極を備えた冠水検出スイッチであることを特徴とする請求項１２記載のガスメータ。
【請求項１４】
冠水検出手段が湿度を感知する湿度センサであることを特徴とする請求項１２記載のガスメータ。
【請求項１５】
ガス圧力を検知する圧力センサを有し、かつ、圧力センサに大気圧を導く導圧通路に湿度センサを配設したことを特徴とする請求項１４記載のガスメータ。
【手続補正２】
【補正対象書類名】明細書
【補正対象項目名】０００３
【補正方法】変更
【補正の内容】
【０００３】
図１にこのような従来技術の構成を概念的に示す。２はガスメータ１内におけるガスの流入通路で、ガスメータ１に内蔵される圧力スイッチ等の圧力センサ３には、ガス圧側の導圧通路４を介してガス圧が、また、大気圧側の導圧通路５を介して大気圧が印加され、ガス圧と大気圧の差圧を圧力センサ３が検出する。すなわち、圧力センサ３はいわゆるガス圧力を検出する。ガスメータ１のガスメータ本体の表面６に開口する大気開放孔７、すなわち導圧通路５の開口７は透湿性防水膜８で覆われている。表面６を示す垂直な面（図では線）の左側はガスメータ外部、右側はガスメータ内部である。
【手続補正３】
【補正対象書類名】明細書
【補正対象項目名】００１８
【補正方法】変更
【補正の内容】
【００１８】
請求項１１の発明は、請求項１〜４又は６〜１０のいずれか１つのガスメータにおいて、電極を有する冠水検出手段としての冠水検出スイッチを、ガスメータ表面に配設する代わりに、ガスメータ表面からわずかにメータ内部側へ下げた位置に配設し、その前に吸湿性の部材を接触させて設けたことを特徴とするものである。
請求項１２の発明は、冠水を感知する冠水検出手段を有することを特徴とするガスメータである。
請求項１３の発明は、請求項１２のガスメータにおいて、冠水検出手段が電極を備えた冠水検出スイッチであることを特徴とするものである。
請求項１４の発明は、請求項１２のガスメータにおいて、冠水検出手段が湿度を感知する湿度センサであることを特徴とするものである。
請求項１５の発明は、請求項１４のガスメータにおいて、ガス圧力を検知する圧力センサを有し、かつ、圧力センサに大気圧を導く導圧通路に湿度センサを配設したことを特徴とするものである。
【手続補正４】
【補正対象書類名】明細書
【補正対象項目名】００３３
【補正方法】変更
【補正の内容】
【００３３】
図４は、図２と図３に示す冠水検出スイッチ１０が水に漬かっていないか、水に漬かっているかを判定する電気回路の１例を示す。冠水検出手段としての冠水検出スイッチ１０の一方の電極１２は接地され、他方の電極１３は判定手段１５を構成するコンパレータ１６のオペアンプ１７のマイナス入力へ接続され、かつ、電極１３はプルアップ抵抗Ｒ１を介して正電源＋Ｅへ接続されている。オペアンプ１７のプラス入力には、正電源＋Ｅを抵抗Ｒ２とＲ３で分圧した比較電圧が入力される。Ｒｆはフィードバック抵抗である。
【手続補正５】
【補正対象書類名】明細書
【補正対象項目名】００３４
【補正方法】変更
【補正の内容】
【００３４】
冠水検出スイッチ１０の両電極１２と１３が水に漬かっていないときは、両電極間は絶縁状態にあって、電気抵抗値が無限大に近いので、判定回路１５の出力Ｖ０は低電位“Ｌ”となる。ガスメータが冠水して、両電極１２と１３が、前記図３（ａ）（ｂ）に符号Ｗ２で示す水位のために水に漬かると、両電極１２と１３間が、水で短絡されてショートし、両電極間の電気抵抗値が異常に低下する。したがって、オペアンプ１７のマイナス入力の電位がプラス入力の電位より下がり、判定回路の出力電圧Ｖ０が高電位“Ｈ”となって、冠水検知信号が出力される。
【手続補正６】
【補正対象書類名】明細書
【補正対象項目名】００４３
【補正方法】変更
【補正の内容】
【００４３】
図８はこのような実施例の要部を示す回路図で、冠水検知手段としての冠水検知スイッチ１０は、３個の電極１２，１３，１４を備えている。電極１２と１３とで１組の組み合わせが、電極１２と１４とでもう１組の組み合わせが構成されている。電極１２と１３との組み合わせによる電極間電気抵抗値の冠水による異常な低下（ショート）は、コンパレータ１６によって前述の図４での説明のように検出される。そして、電極１２と１４とによる別の組み合わせによる電極間電気抵抗値の冠水による異常な低下（ショート）は、コンパレータ１６Ａによって、コンパレータ１６によるのと同様に検出される。両コンパレータ１６と１６Ａの出力は、ＯＲゲート３５に入力される。したがって、コンパレータ１６，１６ＡとＯＲゲート３５とで構成される第１の判定手段１５は、１組の電極１２、１３間か、もう１組の電極１２、１４間が冠水によって水に漬かると図８の第１の判定手段１５の出力端子１５ａに冠水検知信号が出力され、これがマイクロコンピュータ２０に入力される（請求項３）。
【手続補正７】
【補正対象書類名】図面
【補正対象項目名】図９
【補正方法】変更
【補正の内容】
【図９】
2005214702.tif 000001